(57)【要約】      （修正有）【課題】インターホン呼出を静電容量式センサ又は電磁誘導式センサを用いることで、インターホン子機の薄型化やデザイン設計を自由に行うことができるインターホンシステムを提供する。【解決手段】屋外に設置され、訪問者により居室呼出を行なう呼出部及び通話を行なう子機通話部を有する玄関子機と、屋内に設置され、玄関子機の呼出に応答して玄関子機により訪問者と通話を行なうための親機通話部を有する居室親機とを備え、呼出部は、訪問者が触れたことを感知する接触感知部と、訪問者が接触感知部に触れた時、居室親機に呼出信号を送出する呼出信号送出部を備える。【選択図】図１
2010011127.tif 000002
【特許請求の範囲】
【請求項１】
屋外に設置され、訪問者により居室呼出を行なう呼出部（１０４）及び通話を行なう子機通話部（１０１、１０２）を有する玄関子機（１）と、屋内に設置され、前記玄関子機の呼出に応答して前記玄関子機により訪問者と通話を行なうための親機通話部（２０１）を有する居室親機（２）とを備えたインターホンシステムにおいて、
前記呼出部は、訪問者が触れたことを感知する接触感知部（２０００）と、訪問者が前記接触感知部に触れた時、前記居室親機に呼出信号を送出する呼出信号送出部（２１００）を備えたことを特徴とするインターホンシステム。
【請求項２】
屋外、エントランスに設置され、訪問者により居室呼出を行なう呼出部（４０４）及び通話を行なう子機通話部（４０１、４０２）を有する集合玄関子機（４）と、屋内に設置され、前記玄関子機の呼出に応答して前記集合玄関子機により訪問者と通話を行なうための親機通話部（５０１）を有する居室親機（５）と、前記集合玄関子機と前記居室親機の通話／通信制御を行う制御機（３）を備えたインターホンシステムにおいて、
前記呼出部は、訪問者が触れたことを感知する接触感知部（２０００）と、訪問者が前記接触感知部に触れた時、前記居室親機に呼出信号を送出する呼出信号送出部（２１００）を備えたことを特徴とするインターホンシステム。
【請求項３】
病室内に設置され、被看護者によりナースコール呼出を行なう呼出部（９０４）及び通話を行なう子機通話部（９０１、９０２）を有するナースコール子機（９）と、廊下に設置され、前記ナースコール子機の呼出時に報知する廊下灯（８）と、ナースステーションに設置され、前記ナースコール子機の呼出に応答して前記ナースコール子機により被看護者と通話を行なうための親機通話部（７０１）を有するナースコール親機（７）と、前記ナースコール子機と前記ナースコール親機と前記廊下灯の通話／通信制御を行う制御機（６）を備えたインターホンシステムにおいて、
前記呼出部は、被看護者が触れたことを感知する接触感知部（２０００）と、被看護者が前記接触感知部に触れた時、前記ナースコール親機に呼出信号を送出する呼出信号送出部（２１００）を備えたことを特徴とするインターホンシステム。
【請求項４】
前記接触感知部は、前記玄関子機、前記集合玄関子機又は前記ナースコール子機の筐体内部に設置され、訪問者又は被看護者が前記玄関子機又は前記ナースコール子機の筐体前面に触れたことを感知する複数の静電容量式センサ（２００１ａ、２００１ｂ）と、感知した当該静電容量センサの合計数を把握し、特定の条件の時に呼出と判定する呼出判定部（２００２）を備えたことを特徴とする請求項１乃至請求項３何れか１項記載のインターホンシステム。
【請求項５】
前記接触感知部は、前記玄関子機、前記集合玄関子機又は前記ナースコール子機の筐体内部に設置され、訪問者又は被看護者が前記玄関子機又は前記ナースコール子機の筐体前面に触れたことを感知する電磁誘導式センサ（２００３）で構成されたことを特徴とする請求項１乃至請求項３何れか１項記載のインターホンシステム。
【発明の詳細な説明】
【技術分野】
【０００１】
本発明はインターホンシステムに係り、特に、インターホン呼出を静電容量式センサ又は電磁誘導式センサを用いることで、インターホン子機の薄型化やデザイン設計を自由に行うことができるインターホンシステムに関する。
【背景技術】
【０００２】
従来から、インターホン装置には様々な操作スイッチが設けられている。例えば、ドアホン子器からインターホン装置を呼び出す呼出スイッチ、ドアホン子器からの呼出を応答するための応答スイッチ、ドアホン子器のカメラを起動させるためのモニタスイッチ等がある。
例えば、特許文献１では、インターホン装置の操作スイッチとして静電容量形近接スイッチを用いることで、インターホン装置本体の突出量を押さえることができると共に、機械的スイッチをなくす事ができるため、インターホン装置のデザイン設計上の制約を取り除くことができた。
【特許文献１】特開２００８−０８５６３０号公報
【発明の開示】
【発明が解決しようとする課題】
【０００３】
しかしながら、従来のインターホン装置では、静電容量形近接スイッチは水でも反応してしまうため、屋内に設置されるインターホン装置に、静電容量形近接スイッチを利用することは可能であるが、屋外に設置されるドアホン子器には利用することができなかった。
【０００４】
本発明は、上記問題を解決するためになされたものであって、インターホン子機本体の突出量を押さえることができると共に、インターホン子機のデザイン設計上及び天候上の制約を取り除くことができるインターホンシステムを提供することを目的とする。
【課題を解決するための手段】
【０００５】
上記課題を解決する為に、請求項１に記載の発明は、屋外に設置され、訪問者により居室呼出を行なう呼出部及び通話を行なう子機通話部を有する玄関子機と、屋内に設置され、玄関子機の呼出に応答して玄関子機により訪問者と通話を行なうための親機通話部を有する居室親機とを備えたインターホンシステムにおいて、呼出部は、訪問者が触れたことを感知する接触感知部と、訪問者が接触感知部に触れた時、居室親機に呼出信号を送出する呼出信号送出部を備えたことを特徴とする。
【０００６】
請求項２の発明は、屋外、エントランスに設置され、訪問者により居室呼出を行なう呼出部及び通話を行なう子機通話部を有する集合玄関子機と、屋内に設置され、玄関子機の呼出に応答して集合玄関子機により訪問者と通話を行なうための親機通話部を有する居室親機と、集合玄関子機と居室親機の通話／通信制御を行う制御機を備えたインターホンシステムにおいて、呼出部は、訪問者が触れたことを感知する接触感知部と、訪問者が接触感知部に触れた時、居室親機に呼出信号を送出する呼出信号送出部を備えたことを特徴とする。
【０００７】
請求項３の発明は、病室内に設置され、被看護者によりナースコール呼出を行なう呼出部及び通話を行なう子機通話部を有するナースコール子機と、廊下に設置され、ナースコール子機の呼出時に報知する廊下灯と、ナースステーションに設置され、ナースコール子機の呼出に応答してナースコール子機により被看護者と通話を行なうための操作部及び親機通話部を有するナースコール親機と、ナースコール子機とナースコール親機と廊下灯の通話／通信制御を行う制御機を備えたインターホンシステムにおいて、呼出部は、被看護者が触れたことを感知する接触感知部と、被看護者が接触感知部に触れた時、ナースコール親機に呼出信号を送出する呼出信号送出部を備えたことを特徴とする。
【０００８】
請求項４の発明は、請求項１乃至３の何れかに記載の発明において、接触感知部は玄関子機、集合玄関子機又はナースコール子機の筐体内部に設置され、訪問者又は被看護者が玄関子機又はナースコール子機の筐体前面に触れたことを感知する複数の静電容量式センサと、感知した静電容量センサの合計数を把握し、特定の条件の時に呼出と判定する呼出判定部を備えたことを特徴とする。
【０００９】
請求項５の発明は、請求項１乃至３の何れかに記載の発明において、接触感知部は玄関子機、集合玄関子機又はナースコール子機の筐体内部に設置され、訪問者又は被看護者が玄関子機又はナースコール子機の筐体前面に触れたことを感知する電磁誘導式センサで構成されたことを特徴とする。
【発明の効果】
【００１０】
請求項１の発明によれば、インターホンシステムにおいて、玄関子機本体の突出量を押さえることができると共に、玄関子機のデザイン設計上の制約を取り除くことができる。
【００１１】
請求項２の発明によれば、集合住宅インターホンシステムにおいて、集合玄関子機本体の突出量を押さえることができると共に、集合玄関子機のデザイン設計上の制約を取り除くことができる。
【００１２】
請求項３の発明によれば、ナースコールシステムにおいて、ナースコール子機本体の突出量を押さえることができると共に、ナースコール子機のデザイン設計上の制約を取り除くことができる。
【００１３】
請求項４の発明によれば、静電容量式センサを用いることで、雨等による誤呼出を防ぐことができる。
【００１４】
請求項５の発明によれば、電磁誘導式センサを用いることで、雨等による誤呼出を防ぐことができる。
【発明を実施するための最良の形態】
【００１５】
以下、本発明のインターホンシステムを適用した最良の実施の形態例について、図面を参照して説明する。
【００１６】
図１は、本発明の第１の実施例による一般住戸のインターホンシステムの具体的なシステム構成図である。このインターホンシステムは、屋外に設置される玄関子機１と、玄関子機１に接続され、屋内に設置される居室親機２とで構成されている。玄関子機１には、居室親機２と通話するためのマイク１０１、スピーカ１０２と、呼出操作を行うための呼出部１０４と、呼出したことを確認するための表示部１０３が備えられている。居室親機２には、玄関子機１と通話するための通話部２０１と、玄関子機１と通話する時に操作する操作部２０４が備えられている。
【００１７】
図７のブロック図を参照して、呼出部が静電容量式センサで構成されたときの動作説明を行う。
【００１８】
玄関子機１には、マイク１０１、スピーカ１０２、呼出部１０４、表示部１０３の他に、子機Ｉ／Ｆ２２００が備えられている。呼出部１０４には、接触感知部２０００と呼出信号送出部２１００が設けられており、接触感知部２０００には、２つの静電容量式センサ２００１ａ、２００１ｂと、呼出判定部２００２とで構成されている。静電容量式センサ２００１ａは、玄関子機１の筐体内部に設置されており、静電容量式センサ２００１ａの筐体前面には、訪問者が呼び出し時に触れさせるような指示表記が成されている。他の静電容量式センサ２００１ｂも静電容量式センサ２００１ａと同様に玄関子機１の筐体内部に設置されているが、静電容量式センサ２００１ｂの筐体前面には訪問者が触れさせるような指示表記はなく、静電容量式センサ２００１ａとは離れた位置に設置されている。静電容量式センサは、センサ自身の周辺の大地間容量を検出する構成部であり、センサ周辺に物体（大地間容量の大きな人体等）が存在した時には高い静電容量値を検出するセンサ周辺の静電容量を検出するためのものである。
【００１９】
このような静電容量式センサ２００１ａの筐体前面に人体が触れた時には、静電容量式センサ２００１ａから高い静電容量値Ｃ１が呼出判定部２００２に出力され、他の静電容量式センサ２００１ｂからは、玄関子機１周辺の静電容量値Ｃ２が呼出判定部２００２に出力される。２つの静電容量値を受信した呼出判定部２００２は、静電容量式センサ２００１ａの静電容量値Ｃ１が、他の静電容量式センサの静電容量値Ｃ２よりも静電容量値が大きい（Ｃ１＞＞Ｃ２）為、呼出されたと判定する。その後、呼出信号送出部２１００は、子機Ｉ／Ｆ２２００を介して居室親機２に呼出信号を送出し、居室親機２で応答することができる。また、静電容量値Ｃ１と静電容量値Ｃ２が同じ（Ｃ１≒Ｃ２）又は、Ｃ１がＣ２よりも小さい（Ｃ１＜＜Ｃ２）場合は、呼出判定部２００２は何も動作せず、待受け状態を保ち続ける。
【００２０】
図２は、本発明の第２の実施例による一般住戸のインターホンシステムの具体的なシステム構成図である。このインターホンシステムは、屋外に設置される玄関子機１と、玄関子機１に接続され、屋内に設置される居室親機２とで構成されている。玄関子機１には、居室親機２と通話するためのマイク１０１、スピーカ１０２と、呼出操作を行うための呼出部１０４と、呼出したことを確認するための表示部１０３が備えられている。居室親機２には、玄関子機１と通話するための通話部２０１と、玄関子機１と通話する時に操作する操作部２０４が備えられている。
【００２１】
図８のブロック図を参照して、呼出部が電磁誘導式センサで構成されたときの動作説明を行う。
【００２２】
玄関子機１には、居室親機２と通話するためのマイク１０１、スピーカ１０２と、呼出操作を行うための呼出部１０４と、呼出したことを確認するための表示部１０３と、子機Ｉ／Ｆ２２００を備えられている。呼出部１０４には、接触感知部２０００と呼出信号送出部２１００が設けられており、接触感知部２０００には、電磁誘導式センサ２００３と、呼出判定部２００２とで構成されている。電磁誘導式センサ２００３は、玄関子機１の筐体内部に密着するように設置されており、また電磁誘導式センサ２００３の筐体前面には、訪問者が呼び出し時に触れさせるような指示表記が成されている。さらに、電磁誘導式センサ２００３の前面の筐体は、弾性的な撓みを生じる材料で構成されている。
【００２３】
このような電磁誘導式センサ２００３の筐体前面に人体が触れた時には、前面筐体の撓みを電磁誘導式センサ２００３が感知し、呼出判定部２００２に出力される。その後、呼出信号送出部２１００は、子機Ｉ／Ｆ２２００を介して居室親機２に呼出信号を送出し、居室親機２で応答することができる。
【００２４】
図３は、本発明の第３の実施例による集合住宅インターホンシステムの具体的なシステム構成図である。この集合住宅インターホンシステムは、屋外又はエントランスに設置される集合玄関子機４と、屋内に設置され集合玄関子機４からの呼出に応答する居室親機５と、集合玄関子機４と居室親機５の通話／通信制御するための制御機３とが設けられている。集合玄関子機４には、居室親機５と通話するためのマイク４０１、スピーカ４０２と、居室番号を入力するテンキー等で構成された入力部４０５と、呼出操作を行うための呼出部４０４と、呼出したことを確認するための表示部４０３が備えられている。居室親機５には、集合玄関子機４と通話するための通話部５０１と、集合玄関子機４と通話する時に操作する操作部５０４が備えられている。
【００２５】
第１の実施例と同様に、図７のブロック図を参照して、呼出部が静電容量式センサで構成されたときの動作説明を行う。
【００２６】
集合玄関子機４には、マイク４０１、スピーカ４０２、呼出部４０４、表示部４０３の他に、子機Ｉ／Ｆ２２００が備えられている。呼出部４０４には、接触感知部２０００と呼出信号送出部２１００が設けられており、接触感知部２０００には、２つの静電容量式センサ２００１ａ、２００１ｂと、呼出判定部２００２とで構成されている。静電容量式センサ２００１ａは、集合玄関子機４の筐体内部に設置されており、また静電容量式センサ２００１ａの筐体前面には、訪問者が呼び出し時に触れさせるような指示表記が成されている。他の静電容量式センサ２００１ｂも静電容量式センサ２００１ａと同様に集合玄関子機４の筐体内部に設置されているが、静電容量式センサ２００１ｂの筐体前面には訪問者が触れさせるような指示表記はなく、静電容量式センサ２００１ａとは離れた位置に設置されている。
【００２７】
このような静電容量式センサ２００１ａの筐体前面に人体が触れた時には、静電容量式センサ２００１ａから高い静電容量値Ｃ１が呼出判定部２００２に出力され、他の静電容量式センサ２００１ｂからは、集合玄関機４周辺の静電容量値Ｃ２が呼出判定部２００２に出力される。２つの静電容量値を受信した呼出判定部２００２は、静電容量式センサ２００１ａの静電容量値Ｃ１が、他の静電容量式センサの静電容量値Ｃ２よりも静電容量値が大きい（Ｃ１＞＞Ｃ２）為、呼出されたと判定する。その後、呼出信号送出部２１００は、子機Ｉ／Ｆ２２００を介して居室親機５に呼出信号を送出し、居室親機５で応答することができる。また、静電容量値Ｃ１と静電容量値Ｃ２が同じ（Ｃ１≒Ｃ２）又は、Ｃ１がＣ２よりも小さい（Ｃ１＜＜Ｃ２）場合は、呼出判定部２００２は何も動作せず、待受け状態を保ち続ける。更に、集合玄関子機４で操作するテンキー等の入力部４０５を静電容量式センサとしても良い。
【００２８】
図４は、本発明の第４の実施例による集合住宅インターホンシステムの具体的なシステム構成図である。この集合住宅インターホンシステムは、屋外又はエントランスに設置される集合玄関子機４と、屋内に設置され集合玄関子機４からの呼出に応答する居室親機５と、集合玄関子機４と居室親機５の通話／通信制御するための制御機３とが設けられている。集合玄関子機４には、居室親機５と通話するためのマイク４０１、スピーカ４０２と、居室番号を入力するテンキー等で構成された入力部４０５と、呼出操作を行うための呼出部４０４と、呼出したことを確認するための表示部４０３が備えられている。居室親機５には、集合玄関子機４と通話するための通話部５０１と、集合玄関子機４と通話する時に操作する操作部５０４が備えられている。
【００２９】
第２の実施例と同様に、図８のブロック図を参照して、呼出部が電磁誘導式センサで構成されたときの動作説明を行う。
【００３０】
集合玄関子機４には、居室親機５と通話するためのマイク４０１、スピーカ４０２と、呼出操作を行うための呼出部４０４と、呼出したことを確認するための表示部４０３と、子機Ｉ／Ｆ２２００を備えられている。呼出部４０４には、接触感知部２０００と呼出信号送出部２１００が設けられており、接触感知部２０００には、電磁誘導式センサ２００３と、呼出判定部２００２とで構成されている。電磁誘導式センサ２００３は、集合玄関子機４の筐体内部に密着するように設置されており、また電磁誘導式センサ２００３の筐体前面には、訪問者が呼び出し時に触れさせるような指示表記が成されている。さらに、電磁誘導式センサ２００３の前面の筐体は、弾性的な撓みを生じる材料で構成されている。
【００３１】
このような電磁誘導式センサ２００３の筐体前面に人体が触れた時には、前面筐体の撓みを電磁誘導式センサ２００３が感知し、呼出判定部２００２に出力される。その後、呼出信号送出部２１００は、子機Ｉ／Ｆ２２００を介して居室親機５に呼出信号を送出し、居室親機５で応答することができる。更に、集合玄関子機４で操作するテンキー等の入力部４０５を電磁誘導式センサとしても良い。
【００３２】
図５は、本発明の第５の実施例によるナースコールシステムの具体的なシステム構成図である。このナースコールシステムは、例えば、病室に設置されるナースコール子機９と、廊下に設置され、ナースコール子機９の呼出時に報知する廊下灯８と、ナースステーションに設置され、ナースコール子機９からの呼出に応答するナースコール親機７と、ナースコール子機９とナースコール親機７と廊下灯８の通話／通信制御するための制御機６とが設けられている。ナースコール子機９には、ナースコール親機７と通話するためのマイク９０１、スピーカ９０２と、呼出操作を行うための呼出部９０４と、呼出したことを確認するための表示部９０３が備えられている。ナースコール親機７には、ナースコール子機９と通話するための通話部７０１と、ナースコール子機９と通話する時に操作する操作部７０４が備えられている。
【００３３】
第１の実施例と同様に、図７のブロック図を参照して、呼出部が静電容量式センサで構成されたときの動作説明を行う。
【００３４】
ナースコール子機９には、マイク９０１、スピーカ９０２、呼出部９０４、表示部９０３の他に、子機Ｉ／Ｆ２２００が備えられている。
呼出部９０４には、接触感知部２０００と呼出信号送出部２１００が設けられており、接触感知部２０００には、２つの静電容量式センサ２００１ａ、２００１ｂと、呼出判定部２００２とで構成されている。静電容量式センサ２００１ａは、ナースコール子機９の筐体内部に設置されており、また静電容量式センサ２００１ａの筐体前面には、被看護者が呼び出し時に触れさせるような指示表記が成されている。他の静電容量式センサ２００１ｂも静電容量式センサ２００１ａと同様にナースコール子機９の筐体内部に設置されているが、静電容量式センサ２００１ｂの筐体前面には被看護者が触れさせるような指示表記はなく、静電容量式センサ２００１ａとは離れた位置に設置されている。
【００３５】
このような静電容量式センサ２００１ａの筐体前面に人体が触れた時には、静電容量式センサ２００１ａから高い静電容量値Ｃ１が呼出判定部２００２に出力され、他の静電容量式センサ２００１ｂからは、静電容量の変化していない静電容量値Ｃ２が呼出判定部２００２に出力される。２つの静電容量値を受信した呼出判定部２００２は、静電容量式センサ２００１ａの静電容量値Ｃ１が、他の静電容量式センサの静電容量値Ｃ２よりも静電容量値が大きい（Ｃ１＞＞Ｃ２）場合には呼出されたと判定する。その後、呼出信号送出部２１００は、子機Ｉ／Ｆ２２００を介してナースコール親機７に呼出信号を送出し、ナースコール親機７で応答することができる。また、静電容量値Ｃ１と静電容量値Ｃ２が同じ（Ｃ１≒Ｃ２）又は、Ｃ１がＣ２よりも小さい（Ｃ１＜＜Ｃ２）場合は、呼出判定部２００２は何も動作せず、待受け状態を保ち続ける。
【００３６】
図６は、本発明の第６の実施例によるナースコールシステムの具体的なシステム構成図である。このナースコールシステムは、例えば、病室に設置されるナースコール子機９と、廊下に設置され、ナースコール子機９の呼出時に報知する廊下灯８と、ナースステーションに設置され、ナースコール子機９からの呼出に応答するナースコール親機７と、ナースコール子機９とナースコール親機７と廊下灯８の通話／通信制御するための制御機６とが設けられている。ナースコール子機９には、ナースコール親機７と通話するためのマイク９０１、スピーカ９０２と、呼出操作を行うための呼出部９０４と、呼出したことを確認するための表示部９０３が備えられている。ナースコール親機７には、ナースコール子機９と通話するための通話部７０１と、ナースコール子機９と通話する時に操作する操作部７０４が備えられている。
【００３７】
第２の実施例と同様に、図８のブロック図を参照して、呼出部が電磁誘導式センサで構成されたときの動作説明を行う。
【００３８】
ナースコール子機９には、ナースコール親機７と通話するためのマイク９０１、スピーカ９０２と、呼出操作を行うための呼出部９０４と、呼出したことを確認するための表示部９０３と、子機Ｉ／Ｆ２２００を備えられている。呼出部９０４には、接触感知部２０００と呼出信号送出部２１００が設けられており、接触感知部２０００には、電磁誘導式センサ２００３と、呼出判定部２００２とで構成されている。電磁誘導式センサ２００３は、ナースコール子機９の筐体内部に密着するように設置されており、また電磁誘導式センサ２００３の筐体前面には、被看護者が呼び出し時に触れさせるような指示表記が成されている。さらに、電磁誘導式センサ２００３の前面の筐体は、弾性的な撓みを生じる材料で構成されている。
【００３９】
このような電磁誘導式センサ２００３の筐体前面に人体が触れた時には、前面筐体の撓みを電磁誘導式センサ２００３が感知し、呼出判定部２００２に出力される。その後、呼出信号送出部２１００は、子機Ｉ／Ｆ２２００を介してナースコール親機７に呼出信号を送出し、ナースコール親機７で応答することができる。
【００４０】
第１乃至第６の実施例のように、インターホン子機の呼出部を静電容量式センサ又は電磁誘導式センサとすることで、インターホン子機本体と壁面からの突出量を押さえることができると共に、インターホン子機のデザイン設計上の制約を取り除くことができる。
【図面の簡単な説明】
【００４１】
【図１】本発明の実施例によるインターホンシステムのシステム構成図。
【図２】本発明の実施例によるインターホンシステムのシステム構成図。
【図３】本発明の実施例による集合住宅インターホンシステムのシステム構成図。
【図４】本発明の実施例による集合住宅インターホンシステムのシステム構成図。
【図５】本発明の実施例によるナースコールシステムのシステム構成図。
【図６】本発明の実施例によるナースコールシステムのシステム構成図。
【図７】本発明の実施例による静電容量式センサを用いた子機の具体的な構成を示すブロック図。
【図８】本発明の実施例による電磁誘導式センサを用いた子機の具体的な構成を示すブロック図。
【符号の説明】
【００４２】
１                玄関子機
１０１          マイク
１０２          スピーカ
２０００      接触感知部
２１００      呼出信号送出部
２                居室親機
２０１          通話部
２０４          操作部
【図１】
2010011127.tif 000003
【図２】
2010011127.tif 000004
【図３】
2010011127.tif 000005
【図４】
2010011127.tif 000006
【図５】
2010011127.tif 000007
【図６】
2010011127.tif 000008
【図７】
2010011127.tif 000009
【図８】
2010011127.tif 000010